(57)【要約】【課題】本発明は、反射ミラーに対して簡単な構成で加熱して結露防止を図ることのできる原稿読取装置を提供することを目的とする。【解決手段】原稿読取部３の内部には、ランプ３３及び反射ミラー３４を搭載したキャリッジ３５がガイドレールに沿って自在に移動するように設けられている。また、反射ミラー３６及び３７を搭載したキャリッジ３８も同様にガイドレールに沿って自在に移動するように設けられている。各反射ミラーはガラス基材の一方の面側が反射層が形成された反射面となっている。そして、反射面を取り囲む周面には、上下の面に導電層が形成されている。反射ミラーの両端部を保持する取付枠部に設けられた給電電極から導電層に通電して発熱させて反射ミラーの温度を上昇させて結露を防止する。【選択図】図１
2009260580.tif 000002
【特許請求の範囲】
【請求項１】
光源から光を原稿に照射して反射させ反射ミラーを含む光学系を用いて光学読取素子に集光して原稿を読み取る原稿読取装置において、前記反射ミラーは、絶縁材料からなる基材の表面の少なくとも一部に通電により発熱する導電層が形成されていることを特徴とする原稿読取装置。
【請求項２】
前記導電層は、前記反射ミラーの反射層が形成された面を囲む周面の少なくとも一部に形成されていることを特徴とする請求項１に記載の原稿読取装置。
【請求項３】
前記反射ミラーは、取付枠に前記周面の少なくとも一部を接触させて取り付けられており、前記取付枠の前記反射ミラーとの接触部分には前記導電層に給電する給電電極が設けられていることを特徴とする請求項２に記載の原稿読取装置。
【発明の詳細な説明】
【技術分野】
【０００１】
本発明は、複写機、プリンタ、ファクシミリ等の画像形成装置に用いられる原稿読取装置に関する。
【背景技術】
【０００２】
上述の原稿読取装置は、一般に、原稿台のガラス面に原稿を載置して原稿の読取面をガラス面に密着させた状態にセットする。そして、原稿の読取面に対してランプ等の光源から光を照射して反射させ、反射ミラーを含む光学系によりＣＣＤ等の読取素子に集光して原稿を光学的に読み取るようになっている。
【０００３】
こうした光学的に原稿を読み取る装置では、湿度又は気温といった環境条件により装置内に結露が発生することにより、反射ミラー等の光学部品に水滴が付着するようになる。そのため、反射ミラーの表面が曇ってしまい、原稿を照射した光が正確に反射できなくなるといった問題がある。
【０００４】
こうした問題に対処するため、例えば、特許文献１では、定着装置で発生した熱をファンにより原稿読取装置に送風してプラテンに向けて当てることで結露を除去するようにした点が記載されている。
【特許文献１】特開２００１−１１７４７３号公報
【発明の開示】
【発明が解決しようとする課題】
【０００５】
特許文献１に記載されているように、定着装置で発生した熱を送風するためには送風路を形成しファンを設置する必要があり、そのためのスペースの確保等で従来の装置の全体構成を大幅に見直す必要があり、現実的でない。また、ファンを駆動するための電力が必要となり、消費電力が増加することは避けられない。
【０００６】
そこで、本発明は、反射ミラーに対して簡単な構成で加熱して結露防止を図ることのできる原稿読取装置を提供することを目的とする。
【課題を解決するための手段】
【０００７】
本発明に係る原稿読取装置は、光源から光を原稿に照射して反射させ反射ミラーを含む光学系を用いて光学読取素子に集光して原稿を読み取る原稿読取装置において、前記反射ミラーは、絶縁材料からなる基材の表面の少なくとも一部に通電により発熱する導電層が形成されていることを特徴とする。さらに、前記導電層は、前記反射ミラーの反射層が形成された面を囲む周面の少なくとも一部に形成されていることを特徴とする。さらに、前記反射ミラーは、取付枠に前記周面の少なくとも一部を接触させて取り付けられており、前記取付枠の前記反射ミラーとの接触部分には前記導電層に給電する給電電極が設けられていることを特徴とする。
【発明の効果】
【０００８】
上記のような構成を有することで、反射ミラーの表面の少なくとも一部に通電により発熱する導電層を形成したので、従来の装置構成において簡単な構成で反射ミラーを必要に応じて直接加熱することができる。そのため、反射ミラーが結露するような環境条件になった際等に導電層を発熱させて反射ミラーを暖めてやれば、効率的に結露防止を図ることが可能となる。
【０００９】
また、導電層を、反射ミラーの反射層が形成された面を囲む周面の少なくとも一部に形成すれば、反射ミラーの反射機能を損なうことなく導電層を形成することができる。そして、反射ミラーの取付枠に導電層に給電する給電電極を設けることで、導電層に給電するための部材を新たに追加する必要がなく、従来の装置構成に設計変更を加えずに反射ミラーの結露防止機能を付加することができる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態に関する概略断面図である。原稿読取装置１は、原稿搬送部２及び原稿読取部３からなり、原稿トレイ１０にセットされた原稿搬送部２により搬入されて原稿読取部３に搬送される。そして、原稿読取部３で読み取られた原稿は、排出トレイ１１に排出される。
【００１２】
原稿搬送部２には、ピックアップローラ２１及びセパレートローラ２２が設けられており、原稿トレイ１０に載置された原稿がピックアップローラ２１により引き込まれ、セパレートローラ２２により原稿の先端が挟持される。セパレートローラ２２は、原稿を１枚ずつ搬入して、搬入された原稿の先端がフィードローラ２３及びプレスローラ２４に挟持されて搬送されるようになる。
【００１３】
そして、原稿は、さらにフィードローラ２３の外周に沿って下方に搬送されてプレスローラ２４とフィードローラ２３との間に挟持される。挟持された原稿は、フィードローラ２３の下方に近接して配設された原稿ガイド部材２５に沿って読取位置に搬送されるようになる。
【００１４】
原稿読取部３には、フィードローラ２３に対向してプラテンガラス３０が設けられている。原稿搬送部２で搬送された原稿は原稿ガイド部材２５とプラテンガラス３０との間を通過してガイド用突起３１により上向きに案内されて排出ローラ２６及びプレスローラ２７の間に挟持されるようになる。そして、排出ローラ２６により排出トレイ１１に排出される。
【００１５】
また、原稿搬送部２は、原稿カバーを兼ねており、書籍等を読み取る場合には、原稿搬送部２を上方に回動してフラットベッドプラテン３２に書籍等の被読取部分を配置する。
【００１６】
原稿読取部３の内部には、ランプ３３及び反射ミラー３４を搭載したキャリッジ３５が図示せぬガイドレールに沿って自在に移動するように設けられている。また、反射ミラー３６及び３７を搭載したキャリッジ３８も同様にガイドレールに沿って自在に移動するように設けられている。
【００１７】
そして、キャッリッジ３５及び３８は、ワイヤを介して駆動モータ３９に連結されている。キャリッジ３５及び３８は、駆動モータ３９の回転駆動によりフラットベッドプラテン３２の下面に沿って往復して移動する。そして、キャリッジ３５がフラットベッドプラテン３２に載置された原稿のサイズに応じて移動しながら、ランプにより原稿を照射して反射光を反射ミラー３４により反射させて反射ミラー３６に伝送する。
【００１８】
キャリッジ３８は、キャリッジ３５の移動に同期してその半分の距離だけ移動するようになっている。そして、反射ミラー３４から伝送された原稿からの反射光は、反射ミラー３６で反射されて反射ミラー３７に伝送され、さらに反射ミラー３７で反射される。
【００１９】
原稿読取部３の内部には、集光レンズ４０及びＣＣＤ等からなる光学読取素子４１が設けられており、反射ミラー３７で反射された原稿からの反射光は、集光レンズ４０により集光されて光学読取素子４１に結像するように設定されている。光学読取素子４１に入力された原稿からの反射光は電気信号に変換され、図示せぬ画像処理回路に送信されるようになっている。
【００２０】
キャリッジ３５及び３８の移動の際に、反射ミラー３４と反射ミラー３５との間の距離は変化するものの両者の光軸は常時一致するように移動し、原稿からの反射光は常に正確に伝送されるようになっている。
【００２１】
原稿搬送部２において搬送される原稿を読み取る場合には、キャリッジ３５及び３８をプラテンガラス３０に対向する位置に移動して（点線で表示）、静置した状態で読取動作が行なわれる。この場合には、搬送される原稿に対してランプにより照射して反射光を反射ミラー３４、３６及び３７により光学読取素子４１に伝送する。
【００２２】
図２は、キャリッジ３８に関する拡大斜視図である。キャリッジ３８は、金属製のフレーム枠体４２の上下部分が一方の方向に水平に折り曲げられてそれぞれ反射ミラー３６及び３７の支持部を形成している。反射ミラー３６及び３７は、細幅の短冊状に形成されたガラス基材の一方の面側に反射層が形成されている。そして、反射層が形成された面を取り囲む周面の上面及び下面には帯状の導電層が形成されている。反射ミラー３６には、上下にそれぞれ導電層５０及び５１が全長にわたって形成されており、反射ミラー３７には、上下にそれぞれ導電層５２及び５３が全長にわたって形成されている。各導電層は、酸化錫（ＳｎＯ2）等の金属酸化物を添加した溶液を用いて、高温の炉の中で化学気相蒸着法によりガラス基材の上下面に層形成される。導電層の表面は、後述する給電電極等の接触部分以外を合成樹脂等の絶縁材料により被覆するようにしてもよい。
【００２３】
反射ミラー３６は、両端部を取付枠部４３及び４４により保持されている。取付枠部４３及び４４は、フレーム枠体４２の上側の支持部において、支持部の両端から延設された一対の取付片を折り曲げて形成されており、反射ミラー３６の上下の面に一対の取付片が当接して挟持するように保持している。
【００２４】
そして、取付枠部４４の取付片の内側には、反射ミラー３６の上下の面に対する接触部分に給電電極が設けられている。給電電極は、合成樹脂材等の絶縁層を介して取付枠部４４の取付片に設けられ、給電回路と接続されている。取付枠部４３は、フレーム枠体４２を介して電気的に接地されている。
【００２５】
図３は、反射ミラー３６の取付状態に関する説明図である。反射ミラー３６の上面に形成された導電層５０は、一方の端部に取付枠部４３の取付片が接触して接地され、他方の端部に取付枠部４４の給電電極が接触している。同様に、反射ミラー３６の下面に形成された導電層５１は、一方の端部に取付枠部４３の取付片が接触し、他方の端部に取付枠部４４の給電電極が接触している。
【００２６】
したがって、取付枠部４４の給電電極に給電回路６０から電力を供給することで、反射ミラー３６の上下の面に形成された導電層５０及び５１に電流が流れて発熱するようになる。導電層５０及び５１において発生した熱により反射ミラー３６が上下方向から暖められて反射ミラー全体の温度が上昇するようになる。
【００２７】
そのため、装置内の環境条件が結露しやすい状態となった場合には、反射ミラーの導電層に通電して発熱させることで反射ミラーの温度を上昇させて結露を防止することができる。また、結露してしまった場合でも反射ミラーを暖めることで結露した水滴を速やかに蒸発させて結露によるトラブルを回避することができる。
【００２８】
反射ミラー３７は、両端部を取付枠部４５及び４６により保持されている。取付枠部４５及び４６は、フレーム枠体４２の下側の支持部の両端から延設された一対の取付片を折り曲げて形成されており、反射ミラー３７の上下の面に一対の取付片が当接して挟持するように保持している。
【００２９】
そして、取付枠部４６の取付片の内側には、反射ミラー３７の上下の面に対する接触部分に給電電極が設けられている。給電電極は、合成樹脂材等の絶縁層を介して取付枠部４６の取付片に設けられ、取付枠部４４と同様に給電回路と接続されている。取付枠部４５についても、取付枠部４３と同様にフレーム枠体４２を介して電気的に接地されている。
【００３０】
したがって、反射ミラー３７についても、取付枠部４６の給電電極に給電回路から電力を供給することで、反射ミラー３７の上下の面に形成された導電層５２及び５３に電流が流れて発熱するようになる。そのため、反射ミラーの導電層に通電して発熱させることで反射ミラーの温度を上昇させて結露を防止することができる。また、反射ミラーを暖めることで結露した水滴を速やかに蒸発させて結露によるトラブルを回避することができる。
【００３１】
以上説明したように、反射ミラーの反射面を取り囲む周面に導電層を形成しているので、反射面に対して影響を与えることなく反射ミラーの加熱を行うことができる。また、反射ミラーを取り付ける取付枠部を介して給電するので、加熱を行うために新たな部品等を付加することがなく、簡単な構成で反射ミラーの加熱を行うことが可能となる。
【００３２】
なお、反射ミラー３４についても反射ミラー３６及び３７と同様に導電層を形成することで、通電により発熱させて結露防止を図ることができる。
【００３３】
図４は、反射ミラーに形成する導電層の変形例に関する説明図である。この例では、反射ミラー３６の上下面及び一方の側面に１本の導電層５４を形成している。そして、導電層が形成されていない側面側の端部を取付枠部４３に取り付け、反対の側面側の端部を取付枠部４４に取り付ける。導電層５４の表面は、取付枠部４３との接触部分以外は、絶縁性の合成樹脂層により被覆されている。
【００３４】
取付枠部４３の上側の取付片の内側には絶縁層を介して給電電極が設けられており、給電電極は給電回路６０に接続されている。また、取付枠部４３はフレーム枠体４２を介して電気的に接地されている。
【００３５】
以上の構成で給電回路６０から電力を供給することで、導電層５４が通電して発熱するようになる。この場合、上下面以外に一方の側面についても発熱するため、取付枠部４４から熱を奪われても側面加熱により反射ミラー全体をほぼ均一に加熱することができるようになる。また、取付枠部４３のみ給電電極を設ければよく、さらに簡単な構成で反射ミラーの加熱を行うことができる。
【図面の簡単な説明】
【００３６】
【図１】本発明に係る原稿読取装置の内部構造に関する概略断面図である。
【図２】反射ミラーを備えたキャリッジに関する概略斜視図である。
【図３】反射ミラーの取付状態に関する説明図である。
【図４】反射ミラーに形成する導電層の変形例に関する説明図である。
【符号の説明】
【００３７】
１    原稿読取装置
２    原稿搬送部
３    原稿読取部
23    フィードローラ
25    原稿ガイド部材
30    プラテンガラス
32    フラットベッドプラテン
33    ランプ
34    反射ミラー
35    キャリッジ
36    反射ミラー
37    反射ミラー
38    キャリッジ
39    駆動モータ
40    集光レンズ
41    光学読取素子
50    導電層
51    導電層
52    導電層
53    導電層
54    導電層
60    給電回路
【図１】
2009260580.tif 000003
【図２】
2009260580.tif 000004
【図３】
2009260580.tif 000005
【図４】
2009260580.tif 000006